(57)【要約】【課題】熱転写方式により印刷されたIDカードなどの印刷物の真贋判定を行うための真贋判定装置等を提供する。【解決手段】読取装置２は、IDカード１０を撮影した撮影画像から、IDカード１０において熱転写方式により印刷される文字のうち、特定の文字の画像を切出して文字部分の画像を真贋判定装置３に送信する。真贋判定装置３は、文字部分の画像に基づいて、熱転写方式により印刷された文字に生じる段部によりIDカード１０の真贋判定を行う。【選択図】図１
2019117549.tif 000002
【特許請求の範囲】
【請求項１】
印刷物の真贋判定を行う真贋判定装置であって、
前記印刷物の熱転写方式による印刷部分の画像に基づいて、前記印刷部分の線が有する段部により前記印刷物の真贋判定を行うことを特徴とする真贋判定装置。
【請求項２】
前記真贋判定装置は、前記段部の所定方向の段差により、前記印刷部分が所定のdpiの熱転写プリンタで印刷されているか否かの判定を行い、その判定結果により偽の前記印刷物を判別することを特徴とする請求項１記載の真贋判定装置。
【請求項３】
前記所定方向は、前記熱転写プリンタの主走査方向に対応することを特徴とする請求項２記載の真贋判定装置。
【請求項４】
前記真贋判定装置は、前記段差と、前記熱転写プリンタのサーマルヘッド素子の前記主走査方向の長さを整数倍した値とを用いて、前記印刷部分が所定のdpiの熱転写プリンタで印刷されているか否かの判定を行うことを特徴とする請求項３記載の真贋判定装置。
【請求項５】
前記真贋判定装置は、前記印刷部分が熱転写方式で印刷されているか否かの判定を前記段部により行い、その判定結果により偽の前記印刷物を判別することを特徴とする請求項１から請求項４のいずれかに記載の真贋判定装置。
【請求項６】
前記印刷部分は文字であることを特徴とする請求項１から請求項５のいずれかに記載の真贋判定装置。
【請求項７】
前記真贋判定装置は、前記印刷物の撮影画像から真贋判定に用いる特定の文字を抽出することを特徴とする請求項６記載の真贋判定装置。
【請求項８】
前記印刷物はIDカードであることを特徴とする請求項１から請求項７のいずれかに記載の真贋判定装置。
【請求項９】
前記真贋判定装置は、さらに、
前記印刷物の熱転写方式以外の印刷方式による印刷部分の画像に基づいて、当該印刷部分が熱転写方式で印刷されているか否かの判定を当該印刷部分の線の段部により行い、その判定結果により偽の前記印刷物を判別することを特徴とする請求項１から請求項８のいずれかに記載の真贋判定装置。
【請求項１０】
印刷物の読取装置であって、
前記印刷物の熱転写方式による印刷部分の線が有する段部による前記印刷物の真贋判定を真贋判定装置で行うために、前記印刷物の撮影画像から前記印刷部分の画像を切出して前記真贋判定装置に送信することを特徴とする読取装置。
【請求項１１】
読取装置と真贋判定装置を有する印刷物の真贋判定システムであって、
前記読取装置は、
前記印刷物の撮影画像から前記印刷物の熱転写方式による印刷部分の画像を切出して前記真贋判定装置に送信し、
前記真贋判定装置は、
前記画像に基づいて、前記印刷部分の線が有する段部により前記印刷物の真贋判定を行う
ことを特徴とする真贋判定システム。
【請求項１２】
コンピュータを、
印刷物の真贋判定を行う真贋判定装置であって、
前記印刷物の熱転写方式による印刷部分の画像に基づいて、前記印刷部分の線が有する段部により前記印刷物の真贋判定を行う真贋判定装置として機能させるためのプログラム。
【請求項１３】
コンピュータを、
印刷物の読取装置であって、
前記印刷物の熱転写方式による印刷部分の線が有する段部による前記印刷物の真贋判定を真贋判定装置で行うために、前記印刷物の撮影画像から前記印刷部分の画像を切出して前記真贋判定装置に送信する読取装置として機能させるためのプログラム。
【発明の詳細な説明】
【技術分野】
【０００１】
本発明は、真贋判定装置、読取装置、真贋判定システム、およびプログラムに関する。
【背景技術】
【０００２】
金融機関や携帯電話キャリアなどでは契約時に運転免許証などによる本人確認が必要であるが、偽名での契約を行うために運転免許証などのIDカードを偽造するケースが増えつつある。そこで、偽造されたIDカードの使用を防ぐために、その真贋を判定する必要がある。
【０００３】
運転免許証などのIDカードは一般的に熱転写方式による印刷を行って作成されるが、偽造時には、最も入手し易く且つ高解像度のインクジェットプリンタを使用してIDカードが印刷されることが多い。
【０００４】
そこで、特許文献１では、運転免許証の真贋判定方法として、運転免許証をスキャンして得た画像から単色で塗りつぶされた領域を切出し、運転免許証をインクジェットプリンタで印刷した場合に当該領域に現れるモアレ縞が当該領域に存在した場合に運転免許証を偽と判定する方法が開示されている。
【先行技術文献】
【特許文献】
【０００５】
【特許文献１】特開2011-34535号公報
【発明の概要】
【発明が解決しようとする課題】
【０００６】
しかしながら、上記の方法はIDカードに単色の塗りつぶし領域が無い場合には適用できず、またIDカードにおいて名前や生年月日等が熱転写方式で印刷された部分をカッターなどで切取り、インクジェットプリンタで印刷した偽の情報を代わりにはめ込んだものなども真と誤判定する。
【０００７】
また、偽造用の熱転写プリンタを用意し、これにより印刷を行った偽のIDカードや、IDカードの上にボールペンなどで文字を追記するような偽造も見逃す可能性がある。
【０００８】
本発明は上記の問題に鑑みてなされたものであり、熱転写方式により印刷されたIDカードなどの印刷物の真贋判定を行うための真贋判定装置等を提供することを目的とする。
【課題を解決するための手段】
【０００９】
前述した課題を解決するための第１の発明は、印刷物の真贋判定を行う真贋判定装置であって、前記印刷物の熱転写方式による印刷部分の画像に基づいて、前記印刷部分の線が有する段部により前記印刷物の真贋判定を行うことを特徴とする真贋判定装置である。
【００１０】
本発明では、熱転写方式による印刷部分に熱転写プリンタのサーマルヘッド素子に由来する熱転写方式特有の段部が現れることを利用し、この段部によるIDカードなどの印刷物の真贋判定を行うことで、インクジェットプリンタで偽造された印刷物を偽と判別できる。この方法は単色の塗りつぶし領域が無い場合にも適用でき、また上記印刷部分をカッターなどで切取り、インクジェットプリンタで偽の情報を印刷したものを代わりにはめ込んだ印刷物も偽と判別できる。
【００１１】
前記真贋判定装置は、前記段部の所定方向の段差により、前記印刷部分が所定のdpiの熱転写プリンタで印刷されているか否かの判定を行い、その判定結果により偽の前記印刷物を判別することが望ましい。
段部の段差は熱転写プリンタのdpi（解像度）によって異なるので、この段差を真贋判定に用いることで、正の印刷物の印刷に用いる熱転写プリンタと異なるdpiの熱転写プリンタを偽造に用いた場合には、これも偽と判別できるようになる。
【００１２】
前記所定方向は、前記熱転写プリンタの主走査方向に対応する。また、前記真贋判定装置は、前記段差と、前記熱転写プリンタのサーマルヘッド素子の前記主走査方向の長さを整数倍した値とを用いて、前記印刷部分が所定のdpiの熱転写プリンタで印刷されているか否かの判定を行うことが望ましい。
上記の段差については、熱転写プリンタの主走査方向に対応する方向の段差を用いることで、精度の高い真贋判定が可能になる。この段差はサーマルヘッド素子の主走査方向の長さを整数倍（１倍を含む）した値になるので、これを利用して印刷部分が所定のdpiの熱転写プリンタで印刷されているか否かの判定を好適に行うことができる。
【００１３】
前記真贋判定装置は、前記印刷部分が熱転写方式で印刷されているか否かの判定を前記段部により行い、その判定結果により偽の前記印刷物を判別することが望ましい。
前記の印刷部分が仮に熱転写方式で印刷されていない場合、段部は現れないので、これを以て印刷物を偽と判別することができる。
【００１４】
前記印刷部分は例えば文字である。前記真贋判定装置は、前記印刷物の撮影画像から真贋判定に用いる特定の文字を抽出することが望ましい。
IDカードなどでは、住所や名前、生年月日などの文字が熱転写方式で印刷されるので、これらの文字の段部によって印刷物の真贋を判定できる。本発明では、段部のできやすい特定の文字を抽出することで、真贋判定を高精度且つ効率良く行うことができる。
【００１５】
前記印刷物は例えばIDカードである。
これにより、本人確認等に用いられるIDカードの真贋判定を行うことができる。
【００１６】
前記真贋判定装置は、さらに、前記印刷物の熱転写方式以外の印刷方式による印刷部分の画像に基づいて、当該印刷部分が熱転写方式で印刷されているか否かの判定を当該印刷部分の線の段部により行い、その判定結果により偽の前記印刷物を判別することが望ましい。
IDカードなどでは、熱転写方式以外の印刷方式で印刷される印刷部分が有る場合もある。この場合では、当該印刷部分が段部を有しないことを利用して偽の印刷物を判別できる。
【００１７】
第２の発明は、印刷物の読取装置であって、前記印刷物の熱転写方式による印刷部分の線が有する段部による前記印刷物の真贋判定を真贋判定装置で行うために、前記印刷物の撮影画像から前記印刷部分の画像を切出して前記真贋判定装置に送信することを特徴とする読取装置である。
【００１８】
第３の発明は、読取装置と真贋判定装置を有する印刷物の真贋判定システムであって、前記読取装置は、前記印刷物の撮影画像から前記印刷物の熱転写方式による印刷部分の画像を切出して前記真贋判定装置に送信し、前記真贋判定装置は、前記画像に基づいて、前記印刷部分の線が有する段部により前記印刷物の真贋判定を行うことを特徴とする真贋判定システムである。
【００１９】
第４の発明は、コンピュータを、印刷物の真贋判定を行う真贋判定装置であって、前記印刷物の熱転写方式による印刷部分の画像に基づいて、前記印刷部分の線が有する段部により前記印刷物の真贋判定を行う真贋判定装置として機能させるためのプログラムである。
【００２０】
第５の発明は、コンピュータを、印刷物の読取装置であって、前記印刷物の熱転写方式による印刷部分の線が有する段部による前記印刷物の真贋判定を真贋判定装置で行うために、前記印刷物の撮影画像から前記印刷部分の画像を切出して前記真贋判定装置に送信する読取装置として機能させるためのプログラムである。
【発明の効果】
【００２１】
本発明により、熱転写方式により印刷されたIDカードなどの印刷物の真贋判定を行うための真贋判定装置等を提供することができる。
【図面の簡単な説明】
【００２２】
【図１】真贋判定システム１の概略を示す図。
【図２】読取装置２のハードウェア構成を示す図。
【図３】真贋判定装置３のハードウェア構成を示す図。
【図４】IDカード１０の概略を示す図。
【図５】文字の一部を拡大した例。
【図６】カード基材１１上のプレ印刷部分を示す図。
【図７】熱転写プリンタ１００と熱転写リボン２００を示す図。
【図８】サーマルヘッド素子１１１と印刷される文字を示す図。
【図９】熱転写プリンタ１００を示す図。
【図１０】真贋判定システム１の処理の概略について示すフローチャート。
【図１１】文字部分による真贋判定処理について示すフローチャート。
【図１２】段差の度数分布のグラフ。
【図１３】プレ印刷部分による真贋判定処理について示すフローチャート。
【発明を実施するための形態】
【００２３】
以下、図面に基づいて本発明の好適な実施形態について詳細に説明する。
【００２４】
（１．真贋判定システム１）
図１は本発明の実施形態に係る真贋判定システム１の概略を示す図である。真贋判定システム１はIDカード１０の真贋を判定するものであり、読取装置２と真贋判定装置３を有する。読取装置２と真贋判定装置３はBluetooth（登録商標）などの無線通信手段により通信可能に接続されるが、有線によって接続されてもよい。
【００２５】
読取装置２は、IDカード１０のICチップを読取るとともにIDカード１０をカメラで撮影し、撮影画像から切出した特定部分の画像を真贋判定装置３に送信する。
【００２６】
図２は読取装置２のハードウェア構成を示す図である。図２に示すように、読取装置２はリーダー２１、カメラ２２、コンピュータ２３、通信部２４を備える。特に図示しないが、読取装置２はバッテリー等も備えている。
【００２７】
リーダー２１はIDカード１０のICチップを読み出すものである。
【００２８】
カメラ２２はIDカード１０を撮影するものである。カメラ２２は例えば受光レンズ、CCD(Charged coupled devices)やCMOS(Complementary
metal-oxide-semiconductor)などの撮像素子、A/D(Analog/digital)変換部等を有する既知のカメラを用いることができる。
【００２９】
コンピュータ２３は読取装置２の各部を制御し、読取装置２の後述する処理を実行する制御装置である。コンピュータ２３の記憶領域には後述する処理を実行するプログラムが記憶され、またIDカード１０の撮影画像を一時的に記憶することもできる。なお、コンピュータ２３に代えてFPGA（field-programmable gate array）などを用いる事も可能である。
【００３０】
通信部２４は、Bluetooth（登録商標）などの無線通信手段により真贋判定装置３との通信を行うものである。
【００３１】
図１の説明に戻る。真贋判定装置３は、IDカード１０の特定部分の画像からIDカード１０の真贋を判定するものである。
【００３２】
図３は真贋判定装置３のハードウェア構成を示す図である。図３に示すように、真贋判定装置３は、制御部３１、記憶部３２、表示部３３、入力部３４、通信制御部３５等をバス等により接続して構成されたコンピュータにより実現できる。ただしこれに限ることは無く、適宜様々な構成をとることができる。
【００３３】
制御部３１はCPU、ROM、RAMなどから構成される。CPUは、記憶部３２、ROMなどの記憶媒体に格納された真贋判定装置３の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部３２、ROMなどからロードしたプログラムやデータを一時的に保持するとともに、制御部３１が各種処理を行うために使用するワークエリアを備える。
【００３４】
記憶部３２はハードディスクドライブやソリッドステートドライブ、フラッシュメモリ等であり、後述する処理に際し真贋判定装置３が実行するプログラム、プログラム実行に必要なデータ、OSなどが格納される。これらのプログラムやデータは、制御部３１により必要に応じて読み出され実行される。
【００３５】
表示部３３は液晶ディスプレイ等を備える。
入力部３４は真贋判定装置３に各種の設定入力を行うものである。
通信制御部３５は無線通信を媒介する通信インタフェースであり、読取装置２との間で通信を行う。
【００３６】
（２．IDカード１０）
IDカード１０は、IDカード１０を所持するユーザを特定するための情報を有し、本実施形態において真贋判定の対象となる印刷物である。ユーザを特定するための情報は、例えば氏名などであり、IDカード１０に印刷されたりICチップに記録されたりする。IDカード１０は各種の契約時に本人確認書類として本人確認のためにも用いられる。IDカード１０は例えば運転免許証であるが、これに限ることはない。その他、マイナンバーカード、在留カード、特別永住者カードなどであってもよい。
【００３７】
図４はIDカード１０の概略を示す図であり、IDカード１０の撮影を行う表面の一例を図示したものである。IDカード１０は、略長方形状のカード基材１１上に氏名や生年月日、住所、発行日などの文字をモノクロ印刷した領域ａ〜ｃや、ユーザの顔写真等の画像をカラー印刷した領域ｄを有する。なお、特に図示しないがIDカード１０の裏面にはICチップが設けられる。
【００３８】
領域ａ〜ｄは、所定のdpi(解像度)を有する熱転写プリンタによって、カード基材１１上に熱転写方式で印刷される。一方、領域ａ〜ｄの周囲にある枠や罫線は、領域ａ〜ｄの印刷を行う前に、熱転写方式以外の印刷方式（例えば、凸版印刷）で予めカード基材１１上に形成されており、プレ印刷部分と呼ばれる。
【００３９】
図５（ａ）は、IDカード１０の文字の印刷部分の一部を拡大した例であり、本実施形態では文字の線に多数の段部Ｂが形成される。段部Ｂは線の輪郭部分に生じる略Ｌ字状の部分であり、文字が熱転写方式で印刷されることにより数10μｍ単位で形成される。段部Ｂは文字の曲線あるいは斜線部分で特に顕著に形成される。
【００４０】
一方、文字をインクジェットプリンタにより印刷する場合は、図５（ｂ）に示すように線はスムーズになり、明確な段部は形成されない。
【００４１】
図６は、カード基材１１上のプレ印刷部分として、図４のカード左上端の範囲Ａを拡大して示す図である。本実施形態ではプレ印刷部分が凸版印刷により形成されるが、この場合もプレ印刷部分には明確な段差が形成されず、線はスムーズになる。
【００４２】
（３．熱転写方式によるIDカード１０の印刷）
熱転写方式による印刷は図７（ａ）に示す熱転写プリンタ１００によって行われる。熱転写プリンタ１００では、供給リール１０１に巻付けた熱転写リボン２００を巻出して搬送しつつ、その途中でサーマルヘッド１１０により熱転写リボン２００に熱を加えてその転写層をカード基材１１に転写する。転写後の熱転写リボン２００は巻取リール１０２で巻取られる。
【００４３】
図７（ｂ）は熱転写リボン２００の転写層２０２の例であり、Ｙ（イエロー）、Ｍ（マゼンタ）、Ｃ（シアン）、Ｋ（ブラック）、Ｐ（オーバーコート層）の各転写層２０２が熱転写リボン２００の基材上に面順次に配列される。
【００４４】
文字のモノクロ印刷は、カード基材１１を搬送しつつ、Ｋ（ブラック）の転写層２０２をカード基材１１に転写することで行われる。図８（ａ）に示すように、サーマルヘッド１１０は、その下面に設けたサーマルヘッド素子１１１から熱転写リボン２００に熱を加える。
【００４５】
図８（ｂ）はサーマルヘッド１１０の下面を見たものである。図８（ｂ）に示すように、サーマルヘッド素子１１１はサーマルヘッド１１０の下面に複数並べて配置される。サーマルヘッド素子１１１の平面は矩形状であり、その縦横の長さは一定である。
【００４６】
ここで、サーマルヘッド素子１１１の配列方向を主走査方向といい、図８（ａ）の紙面法線方向および図８（ｂ）の上下方向に対応する。一方、主走査方向と平面上直交する方向を副走査方向といい、図８（ａ）、（ｂ）の左右方向に対応する。サーマルヘッド素子１１１の主走査方向の長さDmと副走査方向の長さDsは、熱転写プリンタのdpiによって異なり、dpiが大きいほどDm、Dsは短くなる。
【００４７】
本実施形態では、サーマルヘッド素子１１１の主走査方向がIDカード１０の短辺方向（以下、カード短辺方向という）と対応し、副走査方向がIDカード１０の長辺方向（以下、カード長辺方向という）に対応するものとする。
【００４８】
サーマルヘッド素子１１１が図８（ａ）の転写層２０２の範囲Ｃに熱を加えると、この範囲の転写層２０２がカード基材１１に接着し、熱転写リボン２００が巻取リール１０２に巻取られてカード基材１１から離れる際に熱転写リボン２００の基材２０１から剥離する。これによりカード基材１１上に転写層２０２が転写され、文字が印刷される。
【００４９】
結果、文字はサーマルヘッド素子１１１の大きさを単位として印刷されることになり、図８（ｃ）に一部を示すように、その線の輪郭部分にはサーマルヘッド素子１１１に由来する段部が形成される。
【００５０】
段部の主走査方向の段差ａ１〜ａ６は、概ねサーマルヘッド素子１１１の主走査方向の長さDmを整数倍した値n・Dm(n=1,2,3…)となる。一方、段部の副走査方向の段差ｂ１〜ｂ６は、サーマルヘッド素子１１１の副走査方向の長さDsの整数倍とはならないことが多い。これは、サーマルヘッド素子１１１で転写層２０２の一定の範囲Ｃに熱を加えても、熱転写リボン２００から剥離する転写層２０２の副走査方向の長さW（図８（ａ）参照）にはバラツキが生じるためである。
【００５１】
なお、図９は画像のカラー印刷を行う場合の例であり、この場合はサーマルヘッド素子１１１が転写層２０２の範囲Ｃ’に熱を加えると、この範囲Ｃ’の転写層２０２がカード基材１１に設けられた受容層１２に熱拡散し、転写層２０２がカード基材１１に転写される。転写層２０２の転写は256階調で行うことができ、カード基材１１を往復搬送しながらＹ、Ｍ、Ｃの転写層２０２をカード基材１１上の所定位置に転写することで画像のカラー印刷が行われる。
【００５２】
（４．真贋判定システム１の処理の概略）
図１０は真贋判定システム１の処理の概略について示すフローチャートである。図１０のＳ１〜Ｓ３、Ｓ７〜Ｓ９、Ｓ１４〜Ｓ１６は読取装置２のコンピュータ２３が実行する処理であり、Ｓ４〜Ｓ６、Ｓ１０〜Ｓ１３、Ｓ１７〜Ｓ１９は真贋判定装置３の制御部３１が実行する処理である。図１０の処理は、例えばIDカード１０を指定の位置にセットし、真贋判定装置３から読取装置２に処理開始の指示を送信することで開始される。
【００５３】
本実施形態では、まず読取装置２がIDカード１０の表面をカメラ２２によって撮影し（Ｓ１）、IDカード１０の撮影画像を一時的に記憶するともにIDカード１０の撮影画像を圧縮し（Ｓ２）、圧縮後の撮影画像（圧縮画像）を真贋判定装置３に送信する（Ｓ３）。
【００５４】
Ｓ３で撮影画像でなく圧縮画像を真贋判定装置３に送信するのは、後述するＳ５のOCR処理が圧縮画像で十分に行えるためであり、これにより転送時間を削減して読取装置２での処理時間を軽減することができ、バッテリーを長時間持たせることができる。本実施形態では撮影画像の解像度を1200dpiとし、圧縮画像の解像度を300dpiとするが、これに限らない。
【００５５】
真贋判定装置３は、圧縮画像を受信する（Ｓ４）と、圧縮画像に対してOCR処理を行い、特定の文字を探索し、その抽出を行う（Ｓ５）。真贋判定装置３は、特定の文字を抽出すると、その文字部分の位置情報を読取装置２に送信する（Ｓ６）。
【００５６】
本実施形態では、特定の文字の探索を予め定めたIDカード１０上の領域ａ〜ｃ（図４参照）について行う。各領域ａ〜ｃの探索順序は予め定めておくことができ、例えば中央に近い領域ａからその外側の領域ｂ、領域ｃへと順に探索し、特定の文字を所定数抽出すれば文字の抽出を終了する。中央の領域ａを先に探索するのは、カメラ２２の撮影画像の周辺部は中央部に比べて歪曲しており精度が落ちるためである。なお、ここでは説明を簡単にするため上記の所定数を１とする。
【００５７】
特定の文字は特に限定されないが、本実施形態では後述するように文字の線が有する段部により真贋判定を行うので、段部の出やすい曲線や斜線を有する“０”“８”“３”“２”“４”のような文字が望ましい。
【００５８】
読取装置２は、文字部分の位置情報を受信する（Ｓ７）と、その位置情報に基づいて元の撮影画像から文字部分を切出し（Ｓ８）、文字部分の画像を真贋判定装置３に送信する（Ｓ９）。この画像のdpiは元の撮影画像と同じ1200dpiである。
【００５９】
真贋判定装置３は、文字部分の画像を受信する（Ｓ１０）と、文字部分によるIDカード１０の真贋判定を行う（Ｓ１１）。この真贋判定の詳細については後述する。真贋判定装置３は、判定結果がＯＫまたはＮＧである場合（Ｓ１２；ＯＫまたはＮＧ）、判定結果を表示部３３に表示し（Ｓ１９）、処理を終了する。
【００６０】
一方、真贋判定装置３は、判定結果が判定不能である場合（Ｓ１２；判定不能）、プレ印刷部分の画像要求を読取装置２に送信する（Ｓ１３）。
【００６１】
読取装置２は、プレ印刷部分の画像要求を受信する（Ｓ１４）と、元の撮影画像からプレ印刷部分を切出し（Ｓ１５）、プレ印刷部分の画像を真贋判定装置３に送信する（Ｓ１６）。この画像のdpiも元の撮影画像と同じ1200dpiである。プレ印刷部分はIDカード１０間で共通とでき、Ｓ１５では撮影画像の予め定めた部分を切出せばよい。この部分は例えば図４のカード左上端の範囲Ａとするが、これに限ることはない。
【００６２】
真贋判定装置３は、プレ印刷部分の画像を受信する（Ｓ１７）と、プレ印刷部分によるIDカード１０の真贋判定を行う（Ｓ１８）。この真贋判定の詳細については後述する。真贋判定装置３は、その判定結果を表示部３３に表示し（Ｓ１９）、処理を終了する。
【００６３】
以上の処理により真贋判定装置３の表示部３３に表示された判定結果を見ることで、IDカード１０が正規のものであるか偽造されたものであるかがわかる。なお、読取装置２は、以上の処理とは別に、リーダー２１によってIDカード１０のICチップを読み出し、それが偽造されていない正のICチップであるかどうかを判定することができ、これにより一層確実な真贋判定が可能となる。
【００６４】
（５．真贋判定処理）
次に、Ｓ１１、Ｓ１８における真贋判定処理の手順について説明する。
【００６５】
（５−１．文字部分による真贋判定）
図１１はＳ１１の文字部分による真贋判定処理について示すフローチャートであり、図の各ステップは真贋判定装置３の制御部３１が実行する。
【００６６】
Ｓ１１において、真贋判定装置３は、まず文字部分の画像から文字の線が有する段部を検出する（Ｓ１１１）。
【００６７】
段部の検出方法は特に限定されないが、例えばL字状に直交するカード短辺方向とカード長辺方向の線分によるテンプレートを用い、文字部分の画像を二値化して抽出した文字の線の輪郭部分にテンプレートとの一致度が高い箇所があればそれを段部とする。
【００６８】
真贋判定装置３は、この段部により、文字が熱転写方式で印刷されているか否かの判定を行い（Ｓ１１２）、その判定結果により偽のIDカードを判別する。例えば段部の検出数が所定値未満であれば文字が熱転写方式で印刷されていないとし（Ｓ１１２；Ｎｏ）、そのIDカード１０を偽のIDカードであるとしてＮＧとする（Ｓ１１３）。なお、Ｓ１１１では文字自体の形状による段部も検出され得るが、その数はサーマルヘッド素子１１１に由来する前記の段部（例えば図５（ａ）のＢ参照）に比べ非常に少なく、文字自体の形状による段部がＳ１１２の判定に影響を及ぼすことは無い。
【００６９】
一方、真贋判定装置３は、例えば段部の検出数が所定値以上であれば、文字が熱転写方式で印刷されているとし（Ｓ１１２；Ｙｅｓ）、段部の所定方向の段差によりIDカード１０の真贋判定を行う。
【００７０】
本実施形態において、上記の所定方向はカード短辺方向であり、熱転写プリンタ１００の主走査方向に対応する。本実施形態では、段部のカード短辺方向の段差（図８（ｃ）のａ１〜ａ６参照）と、サーマルヘッド素子１１１の主走査方向の長さDmを整数倍した値n・Dm（n=1,2,3…）を用い、文字が所定のdpiの熱転写プリンタ１００（正のIDカード１０の印刷に用いる熱転写プリンタ１００）で印刷されているか否かを判定し（Ｓ１１４）、その判定結果により偽のIDカードを判別する。
【００７１】
Ｓ１１４の判定は、例えば文字の線の各段部のカード短辺方向の段差を集計し、その集計結果に基づいて行うことができる。図１２は集計結果を横軸を段差、縦軸を段部の数とする度数分布のグラフによって示したものである。Ｓ１１４では、例えば段差がn・Dmである段部が段部全体に対して一定割合以上存在すれば、その文字が所定のdpiの熱転写プリンタ１００で印刷されているとする。しかしながら判定方法はこれに限らず、例えばサーマルヘッド素子１１１の主走査方向の長さDmの整数倍Dm,2Dm,3Dm…の長さの直線を有するスケールをそれぞれ読み込み、これらのスケールと等しい段差を有する段部がいくつか有るかで判定する方法もある。
【００７２】
真贋判定装置３は、文字が所定のdpiの熱転写プリンタ１００で印刷されていないと判定した場合（Ｓ１１４；Ｎｏ）、IDカード１０は、所定のdpiと異なるdpiの熱転写プリンタによって文字が印刷されている偽のIDカードであるとしてＮＧとする（Ｓ１１５）。
【００７３】
一方、真贋判定装置３は、文字が所定のdpiの熱転写プリンタ１００で印刷されていると判定した場合（Ｓ１１４；Ｙｅｓ）、IDカード１０は、所定のdpiの熱転写プリンタ１００によって文字が印刷されている真のIDカードであるとしてＯＫとする（Ｓ１１６）。
【００７４】
また、真贋判定装置３は、文字が所定のdpiの熱転写プリンタ１００で印刷されているかどうか判定できない場合（Ｓ１１４；判定不能）、判定結果を「判定不能」とする（Ｓ１１７）。例えば、前記のようにＳ１１４において段差がn・Dmである段部が段部全体に対して一定割合以上存在するかどうかを判定する場合、段差がn・Dmである段部が段部全体に対して一定割合存在しないが、当該割合に近い割合であるというようなケースで判定不能とする。
【００７５】
Ｓ１１３、Ｓ１１５、Ｓ１１６の判定結果は図１０のＳ１９において表示され、Ｓ１１７で判定不能とされた場合には前記したように図１０のＳ１３以降の処理に移り、プレ印刷部分による真贋判定を追加で行うことになる。
【００７６】
（５−２．プレ印刷部分による真贋判定）
図１３はＳ１８のプレ印刷部分による真贋判定処理について示すフローチャートであり、図の各ステップは真贋判定装置３の制御部３１が実行する。
【００７７】
Ｓ１８において、真贋判定装置３は、プレ印刷部分の段部を検出して（Ｓ１８１）、その段部によりプレ印刷部分が熱転写方式で印刷されているか否かの判定を行い（Ｓ１８２）、その判定結果により偽のIDカードを判別する。
【００７８】
Ｓ１８１における段部の検出方法は前記したＳ１１１と同様である。またＳ１８２の判定方法も前記したＳ１１２と基本的には同様であるが、ここではプレ印刷部分が熱転写方式で印刷されていると判定される場合（Ｓ１８２；Ｙｅｓ）、そのIDカード１０はプレ印刷部分が熱転写方式により印刷されている偽のIDカードであるとしてＮＧとされる（Ｓ１８３）。一方、Ｓ１８２においてプレ印刷部分が熱転写方式で印刷されていないと判定した場合（Ｓ１８２；無）、IDカード１０はプレ印刷部分が熱転写方式により印刷されていない真のIDカードであるとしてＯＫとする（Ｓ１８４）。
【００７９】
Ｓ１８３、Ｓ１８４の判定結果は図１０のＳ１９において表示される。なお、Ｓ１８２では、ゴミがプレ印刷部分に付着しているなどして段部が正確に検出できない等の理由により判定不能としてもよく、その場合は、他のプレ印刷部分（例えば、IDカード１０の右下端、左下端、右下端の枠部分など）の画像を前記のＳ１３〜Ｓ１７の処理により再度取得し、当該画像を用いて再度Ｓ１８の真贋判定処理を行うことができる。
【００８０】
以上説明したように、本実施形態では、熱転写方式により印刷された文字の線に熱転写プリンタ１００のサーマルヘッド素子１１１に由来する熱転写方式特有の段部が現れることを利用し、この段部によるIDカード１０の真贋判定を行うことで、インクジェットプリンタで偽造されたIDカードを偽と判別できる。この方法は単色の塗りつぶし領域が無い場合にも適用でき、また文字の領域をカッターなどで切取り、インクジェットプリンタで偽の情報を印刷したものを代わりにはめ込んだIDカードも偽と判別できる。
【００８１】
文字が仮にインクジェットプリンタなど熱転写プリンタ１００以外のプリンタで印刷されている場合、文字の線に段部が現れないので、本実施形態ではこれを以てIDカード１０を偽と判定することができる（図１１のＳ１１２参照）。
【００８２】
また、段部の段差は熱転写プリンタ１００のdpiによって異なるので、本実施形態ではこの段差を真贋判定に用いることで、正のIDカード１０の印刷に用いる熱転写プリンタ１００と異なるdpiの熱転写プリンタを偽造用に用意し、これを用いて偽造されたIDカード１０も偽と判別できる（図１１のＳ１１４参照）。
【００８３】
上記の段差については、熱転写プリンタ１００の主走査方向に対応するカード短辺方向の段差を用いることで、精度の高い真贋判定が可能になる。この段差はサーマルヘッド素子１１１の主走査方向の長さDmを整数倍（１倍を含む）した値n・Dmになるので、これを利用して判定を好適に行うことができる。なお、熱転写プリンタ１００の主走査方向に対応する方向がIDカード１０のカード長辺方向となる可能性もあり、その場合はカード長辺方向の段差を判定に用いればよい。
【００８４】
IDカード１０では住所や名前、生年月日などの文字が熱転写プリンタ１００で印刷されるので、これらの文字の段部によってIDカード１０の真贋を判定できる。本実施形態では、段部のできやすい曲線や斜線を有する特定の文字を抽出することで、真贋判定を高精度且つ効率良く行うことができ、またこの文字をボールペンなどで追記した偽造も判別できるようになる。
【００８５】
また本実施形態では、IDカード１０のプレ印刷部分が熱転写方式によって印刷されず、プレ印刷部分が段部を有しないことを利用して偽のIDカード１０を判別できる（図１３のＳ１８２参照）。本実施形態では凸版印刷により形成されるプレ印刷部分を真贋判定に用いるが、熱転写方式以外の印刷方式で印刷される印刷部分があれば、上記と同様に当該印刷部分が段部を有しないことを利用して真贋判定に用いることができる。
【００８６】
しかしながら、本発明はこれに限らない。例えば検査精度を上げるため、複数個の文字による真贋判定を行うことも可能である。ただし、処理時間も考慮すると文字は３個程度が望ましい。複数の文字を判定に用いる場合は、各文字につきＳ１１の判定を行い、例えば全ての文字についてＯＫ（図１１のＳ１１６参照）と判定された場合にIDカード１０を真とする。しかしながら、これに限ることはなく、例えば一定数の文字についてＯＫと判定された場合にIDカード１０を真としてもよい。
【００８７】
また、本実施形態ではモノクロ印刷された文字の線をＳ１１における真贋判定に用いているが、文字ではなく図柄の線などをＳ１１における真贋判定に用いることも可能であり、またカラー印刷された線を真贋判定に用いてもよい。ただし、図９で説明したようにカラー印刷はカード基材１１を往復搬送しながら各転写層２０２を転写して行うことから、搬送時にカード基材１１が主走査方向にずれると真贋判定の精度が低下するので、この点ではモノクロ印刷された線を真贋判定に用いるほうが有利である。
【００８８】
また、本実施形態では熱転写プリンタ１００の主走査方向に対応する方向の段差ａ１〜ａ６を真贋判定に用いているが、転写層２０２が熱転写リボン２００から剥離する際の剥離部分の副走査方向の長さW（図８（ａ）参照）にバラツキがなければ、前記した熱転写プリンタ１００の副走査方向に対応する方向の段差ｂ１〜ｂ６を真贋判定に用いることも可能である。
【００８９】
また、本実施形態では読取装置２と真贋判定装置３を別体としているが、カメラを有するタブレット端末など一個の端末のみを用いて図１０の一連の処理を行うことも可能である。
【００９０】
また、本実施形態ではIDカード１０の真贋判定を行う例を説明したが、真贋判定を行う対象はこれに限らず、少なくとも熱転写方式による印刷部分を有する印刷物であれば適用可能である。
【００９１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００９２】
１：真贋判定システム
２：読取装置
３：真贋判定装置
１０：IDカード
１１：カード基材
１２：受容層
１００：熱転写プリンタ
１１０：サーマルヘッド
１１１：サーマルヘッド素子
２００：熱転写リボン
２０２：転写層
【図１】
2019117549.tif 000003
【図２】
2019117549.tif 000004
【図３】
2019117549.tif 000005
【図４】
2019117549.tif 000006
【図５】
2019117549.tif 000007
【図６】
2019117549.tif 000008
【図７】
2019117549.tif 000009
【図８】
2019117549.tif 000010
【図９】
2019117549.tif 000011
【図１０】
2019117549.tif 000012
【図１１】
2019117549.tif 000013
【図１２】
2019117549.tif 000014
【図１３】
2019117549.tif 000015